(57)【要約】【課題】外力がかかっても芯線に負荷をかけることがなく、組み立て容易なケーブルコネクタを提供する。【解決手段】ソケット１を押し当てることにより、フード部材２の爪２４ａ，２４ｂが弾性変形し、ソケット１を受け入れる。ソケット１が所定位置まで完全に押し込まれると、爪２４ａ，２４ｂは自らの復元力によりその形状を戻し、ソケット１は爪２４ａ，２４ｂによって固定される。また、フード部材２の爪２４ａ，２４ｂに隣接する位置にフード部材３の突起３４ａ，３４ｂが収容されるため、爪２４ａ，２４ｂが突起３４ａ，３４ｂにより押さえ込まれ外側に倒れ込むような変形が不可能となる。このため、外力を受けても爪２４ａ，２４ｂがソケット１から外れることがない。【選択図】図１
2009099368.tif 000002
【特許請求の範囲】
【請求項１】
ソケットをフードに取り付けて組み立てられるケーブルコネクタにおいて、
ソケットとフードとを互いに係合する係合部材を備え、前記係合部材の弾性変形を利用して、前記ソケットと前記フードとを固定することを特徴とするケーブルコネクタ。
【請求項２】
組み立て完了時には、前記係合部材の変形を抑制することで前記係合部材による前記ソケットと前記フードとの係合状態を維持する係合維持部材を備えることを特徴とする請求項１に記載のケーブルコネクタ。
【請求項３】
前記フードは第１のフード部材および第２のフード部材を組み合わせて構成され、
前記係合部材は前記第１のフード部材に、前記係合維持部材は前記第２のフード部材に、それぞれ設けられ、
第１のフード部材および第２のフード部材を組み立てることにより、前記係合維持部材が前記係合部材の弾性変形を抑制する位置に位置づけられることを特徴とする請求項１または２に記載のケーブルコネクタ。
【発明の詳細な説明】
【技術分野】
【０００１】
本発明は、ソケットをフードに取り付けて組み立てられるケーブルコネクタに関する。
【背景技術】
【０００２】
ソケットを２つのフード部材で両側から挟むことで、ソケットに接続されるケーブルの芯線を保護する構造のケーブルコネクタが知られている。芯線の先端にはそれぞれ接触ピンが圧着され、ソケットには接触ピンを収容する多数の貫通孔が形成されている。接触ピンをソケットの貫通孔にそれぞれ挿入することで、接触ピンが所定の配列で配置される。
【０００３】
ソケットおよびフード部材には、それぞれが互いに係合する突部および凹部が形成され、ソケットを２つのフード部材で挟み込むと、それらの係合によりソケットが位置決めされ固定される。
【特許文献１】特開平９−２１３４２０号公報
【発明の開示】
【発明が解決しようとする課題】
【０００４】
上記のように、ソケットとフード部材とは、互いにそれぞれの部品の突起と凹部との嵌め合いにより位置決めと固定がされている。しかし、従来のコネクタでは、ソケットまたはフード部材に変形を生じさせる外力が加わると、突起と凹部との嵌め合いが外れ、直接芯線に負荷を与えて芯線の断線につながる。例えば、ケーブルのクランプはフード部材により行っているため、太いケーブルや硬いケーブルを使用する場合、ケーブルの自重やケーブルにかかる外力がフード部材を変形させ、フード部材がソケットから外れて芯線に負荷を与えてしまう。
【０００５】
また、コネクタの組み立て時には、ソケットを２つのフード部材で両側から挟みながら、突起と凹部とを合わせてねじ止めしなければならず、作業性が悪いという問題もある。
【０００６】
本発明の目的は、外力がかかっても芯線に負荷をかけることがなく、組み立て容易なケーブルコネクタを提供することにある。
【課題を解決するための手段】
【０００７】
本発明のケーブルコネクタは、ソケットをフードに取り付けて組み立てられるケーブルコネクタにおいて、ソケットとフードとを互いに係合する係合部材を備え、前記係合部材の弾性変形を利用して、前記ソケットと前記フードとを固定することを特徴とする。
このケーブルコネクタによれば、係合部材の弾性変形を利用してソケットとフードとを固定するので、両者を簡単に係合でき組み立て時の作業性を向上させることができるとともに、係合部材による係合によりソケットとフードとの位置関係を固定することで外力に耐える構造を獲得できる。
【０００８】
組み立て完了時には、前記係合部材の変形を抑制することで前記係合部材による前記ソケットと前記フードとの係合状態を維持する係合維持部材を備えてもよい。
【０００９】
前記フードは第１のフード部材および第２のフード部材を組み合わせて構成され、前記係合部材は前記第１のフード部材に、前記係合維持部材は前記第２のフード部材に、それぞれ設けられ、第１のフード部材および第２のフード部材を組み立てることにより、前記係合維持部材が前記係合部材の弾性変形を抑制する位置に位置づけられてもよい。
【発明の効果】
【００１０】
本発明のケーブルコネクタによれば、係合部材の弾性変形を利用してソケットとフードとを固定するので、両者を簡単に係合でき組み立て時の作業性を向上させることができるとともに、係合部材による係合によりソケットとフードとの位置関係を固定することで外力に耐える構造を獲得できる。
【発明を実施するための最良の形態】
【００１１】
以下、図１〜図４を参照して、本発明によるケーブルコネクタの一実施形態について説明する。
【００１２】
図１および図２は、本実施形態のケーブルコネクタの構成を示す分解斜視図、図３は本実施形態のケーブルコネクタの一部拡大図、図４は組み立て作業を示す斜視図である。
【００１３】
図１〜図４に示すように、本実施形態のケーブルコネクタは、ケーブル４内に収容された多数の芯線４１が接続される略直方体形状のソケット１と、ソケット１を両側から挟み込むことでフードを構成するフード部材２およびフード部材３と、を備える。
【００１４】
ソケット１には、上記芯線４１のそれぞれの先端に圧着される接触ピン（不図示）を収容する多数の貫通孔１１，１１，・・・と、フード部材３に係合する凹部１２ａ，１２ｂ，１２ｃ（図１）と、フード部材２に係合する突部１３ａ，１３ｂ（図２）と、が形成されている。また、ソケット１の突部１３ａ，１３ｂが形成された面には、凹部１２ａ，１２ｂ，１２ｃと対向する位置に、それぞれフード部材２に係合する凹部１７ａ，１７ｂ，１７ｃ（図１）が形成されている。
【００１５】
フード部材２およびフード部材３は、互いに組み立てた際にそれらの内部にソケット１およびケーブル４を収容可能な形状とされ、フード部材２にはケーブル４を外部に引き出すための切り欠き２１（図１）が、フード部材３にはケーブル４を外部に引き出すための切り欠き３１（図２）が、それぞれ形成されている。
【００１６】
また、フード部材２には、ソケット１の凹部１７ａ，１７ｂ，１７ｃに係合する突部２２ａ，２２ｂ，２２ｃと、ソケット１の突部１３ａ，１３ｂに係合する切り欠き２３ａ，２３ｂと、ソケット１の外周面に係合する係合部材としての爪２４ａ，２４ｂと、フード部材３との締結のための雌ねじ部２５ａ，２５ｂと、フード部材３との締結のためのねじ孔２６ａ，２６ｂと、が形成されている。
【００１７】
また、フード部材３には、ソケット１の凹部１２ａ，１２ｂ，１２ｃに係合する突部３２ａ，３２ｂ，３２ｃと、組み立て後にフード部材２の爪２４ａ，２４ｂの変形を禁止する係合維持部材としての突起３４ａ，３４ｂと、フード部材２との締結のためのねじ孔３５ａ，３５ｂと、フード部材２との締結のためのねじ孔３６ａ，３６ｂと、が形成されている。
【００１８】
次に、本実施形態のケーブルコネクタにおける組み立て時の手順について説明する。ソケット１には、予めケーブル４の芯線４１（図３、図４）が接続されている。
【００１９】
組立作業では、最初に、ソケット１とフード部材２とを押し当てることで、ソケット１をフード部材２の所定位置に取り付ける。このとき、ソケット１を押し当てることにより、フード部材２の爪２４ａ，２４ｂが弾性変形し、ソケット１を受け入れる。ソケット１が所定位置まで完全に押し込まれると、爪２４ａ，２４ｂは自らの復元力によりその形状を戻し、ソケット１は爪２４ａ，２４ｂによって固定され、フード部材２から乖離できない状態となる。このため、凹部１７ａ，１７ｂ，１７ｃと突部２２ａ，２２ｂ，２２ｃとの係合、および突部１３ａ，１３ｂと切り欠き２３ａ，２３ｂとの係合も外れることなく、ソケット１およびフード部材２が一体に維持される。
【００２０】
次に、フード部材３を取り付ける。
【００２１】
図４に示すように、ねじ孔３５ａ，３５ｂを貫通するねじ５５ａ，５５ｂを雌ねじ部２５ａ，２５ｂに締結するとともに、ねじ孔３６ａ，３６ｂおよびねじ孔２６ａ，２６ｂを貫通するビス５６ａ，５６ｂをナット５７ａ，５７ｂに締結することにより、フード部材３をフード部材２に対して取り付ける。これにより、ケーブル４は、スリーブ４２（図３、図４）を介してフード部材２の切り欠き２１およびフード部材３の切り欠き３１の間でクランプされる。
【００２２】
また、ソケット１の凹部１２ａ，１２ｂ，１２ｃと、突部３２ａ，３２ｂ，３２ｃと、が係合することで、ソケット１が所定位置に固定される。また、フード部材２の爪２４ａ，２４ｂに隣接する位置にフード部材３の突起３４ａ，３４ｂが収容されるため、爪２４ａ，２４ｂが突起３４ａ，３４ｂにより押さえ込まれ外側に倒れ込むような変形が不可能となる。このため、外力を受けても爪２４ａ，２４ｂがソケット１から外れることがなく、ソケット１がフード部材２およびフード部材３の中で所定位置に確実に固定される。したがって、ケーブル４やソケット１に対するあらゆる外力に対しても、芯線４１に対する負荷を避けることが可能となる。
【００２３】
また、本実施形態のケーブルコネクタでは、爪２４ａ，２４ｂによってソケット１とフード部材２とをねじ等を使用せずに予め固定することができるため、組み立て時の作業性を向上させることができる。
【００２４】
以上説明したように、本発明のケーブルコネクタによれば、係合部材の弾性変形を利用してソケットとフードとを固定するので、両者を簡単に係合でき組み立て時の作業性を向上させることができるとともに、係合部材による係合によりソケットとフードとの位置関係を固定することで外力に耐える構造を獲得できる。
【００２５】
本発明の適用範囲は上記実施形態に限定されることはない。本発明は、ソケットをフードに取り付けて組み立てられるケーブルコネクタに対し、広く適用することができる。
【図面の簡単な説明】
【００２６】
【図１】一実施形態のケーブルコネクタの構成を示す分解斜視図。
【図２】本実施形態のケーブルコネクタの構成を示す分解斜視図。
【図３】本実施形態のケーブルコネクタの一部拡大図。
【図４】組み立て作業を示す斜視図。
【符号の説明】
【００２７】
１      ソケット
２      フード部材（フード）
３      フード部材（フード）
２４ａ，２４ｂ    爪（係合部材）
３４ａ，３４ｂ    突起（係合維持部材）
【図１】
2009099368.tif 000003
【図２】
2009099368.tif 000004
【図３】
2009099368.tif 000005
【図４】
2009099368.tif 000006